(57)【特許請求の範囲】
【請求項１】
四方合決り接合されつつ角波状の金属下地材に留め付けられた外壁板の左右接合部に配され、上記外壁板の横ずれを防止するための横ずれ防止金具であって、
上記横ずれ防止金具は、
平板状の上方固定板と、
該上方固定板に対して略直角に立設された上方当接板と、
上記上方固定板の下端から延出されて該上方固定板よりも前方において該上方固定板と略平行に配された下方固定板と、
該下方固定板に対して略直角に立設された下方当接板を有していて、
上記上方固定板の下端から上記下方固定板と平行に下方に延出する裏側係止片が配設されていて、
上記横ずれ防止金具を上記左右接合部に配設する際に、上記外壁板の上下接合部に配された第１の留付金具の上方水平部を上記裏側係止片と上記下方固定板が挟み込むように構成されていることを特徴とする横ずれ防止金具。
【請求項２】
請求項１において、
上記上方固定板には複数の上方ビス孔が水平方向に形成され、
上記下方固定板には複数の下方ビス孔が水平方向に形成されていて、
該上方ビス孔と該下方ビス孔の水平方向の配列間隔は上方固定板が当接する上記角波状の金属下地材の室外側の凸部の幅方向の長さよりも短いことを特徴とする横ずれ防止金具。
【請求項３】
角波状の金属下地材に、上部下実、下部上実、横下実、及び横上実を有する複数の外壁板を四方合決り接合しつつ留め付けてなる外壁施工構造であって、
上記外壁板は、該外壁板の上端部及び下端部に配した第１の留付金具によって上記角波状の金属下地材に留め付けられており、
上記第１の留付金具は、上記角波状の金属下地材への固定面を構成する上方水平部と、該上方水平部よりも前面側に突き出た平板部と、該平板部の全横幅方向にわたって該平板部に直交する方向に立設された支承部と、該支承部から斜め上方へ屈曲した上側係止片と、上記支承部から斜め下方へ屈曲した下側係止片とを有し、
下側に配された外壁板の上端部を上記下側係止片によって係止し、上側に配された外壁板の下端部を上記支承部によって支承して上記上側係止片によって係止して、上記上方水平部が固定具によって上記角波状の金属下地材に固定されていて、
上記外壁板の左右接合部には、上記外壁板の横ずれを防止する横ずれ防止金具を配設してあり、
該横ずれ防止金具は、平板状の上方固定板と、該上方固定板に対して略直角に立設された上方当接板と、上記上方固定板の下端から延出されて該上方固定板よりも前方において該上方固定板と略平行に配された下方固定板と、該下方固定板に対して略直角に立設された下方当接板と、上記上方固定板の下端から上記下方固定板と平行に下方に延出する裏側係止片を有し、
上記裏側係止片と上記下方固定板が上記第１の留付金具の上方水平部を挟み込んだ状態で、該上方当接板と該下方当接板を上記外壁板の側端面に当接させつつ、上記下方固定板を上記第１の留付金具に固定具で固定していることを特徴とする外壁施工構造。
【請求項４】
請求項３において、上記横ずれ防止金具は、
上記上方固定板には複数の上方ビス孔が水平方向に形成され、
上記下方固定板には複数の下方ビス孔が水平方向に形成されていて、
該上方ビス孔と該下方ビス孔の水平方向の配列間隔は上方固定板が当接する上記角波状の金属下地材の室外側の凸部の幅方向の長さよりも短いことを特徴とする外壁施工構造。
【請求項５】
請求項４において、
上記上方固定板は、上記上方ビス孔に通された固定具によって上記角波状の金属下地材に固定されていることを特徴とする外壁施工構造。
【発明の詳細な説明】
【技術分野】
【０００１】
本発明は、四方合決り接合されて配された外壁板の横ずれを防止するための横ずれ防止金具及びこれを用いた外壁施工構造に関する。
【背景技術】
【０００２】
従来、図１１に示すごとく、上部下実２１１、下部上実２２１、横下実２３１、及び横上実を有する複数の外壁板２０４を四方合決り接合しつつ、構造躯体２９２に留め付けてなる外壁施工構造２０９がある。
該外壁施工構造２０９においては、上下左右の外壁板２０４の上下左右接合部に配置した留付金具２９５によって、外壁板２０４を構造躯体２９２に留め付けている。
【０００３】
しかし、上記留付金具２９５は、外壁板２０４の上端部及び下端部を係止しているが、外壁板２０４の左右方向の移動については、特に規制することができない。
そのため、外壁板２０４が左右にずれることにより、外壁施工構造２０９の外観意匠性が低下したり、左右の外壁板同士の間に隙間ができて雨水の浸入を招いたりするおそれがあった。
そこで、図示していないが、外壁板の横ずれを防止する横ずれ防止手段を、留付金具に設けたり、該留付金具と重ねて用いるシール金具に設けたりする技術が特開２００１−３５５３２５号公報、特開２００２−８１１８６号公報によって開示されている。
【０００４】
しかしながら、上記従来の技術は、一つの金具に留め付け機能や漏水防止機能と共に、横ずれ防止機能まで付加しようとするものであり、金具の形状が複雑となり、製造コストが高くなるという問題があった。
また、各機能を充分に発揮できるようにするためには、留付金具やシール金具等を決められた位置に配設する必要があるため、必ずしも施工が容易であるとはいえない場合もあった。
【０００５】
ところで、四方合決り接合しつつ金属下地組に留め付けられた外壁板の横ズレを防止することができ、施工コストが低く、施工容易な外壁施工として、図１２の施工構造が知られている。
図１２の施工構造は、外壁板２０４の上端部２４１及び下端部２４２に配した図示していない留付金具によって金属下地組２０２に留め付けられた外壁板２０４の施工において、外壁板２０４の上下左右接合部２４８に、外壁板２０４の横ずれを防止する横ずれ防止金具２０６を配設してある。
該横ずれ防止金具２０６は、平板状の固定板部２６１と、該固定板部２６１に対して略直角に立設された当接板部２６２とを有する。
そして、横ずれ防止金具２０６は、上記当接板部２６２を外壁板２０４の側端面２３２に当接させつつ上記固定板部２６１を上記金属下地組２０２にビス２１３により固定している。（特開２００５−２８２１６９８号公報）
【０００６】
縦材の配設されていない部分に左右接合部が配される外壁板を充分な強度で留め付けることができる、耐久性に優れた留め付け部材及びこれを用いた外壁施工構造並びに外壁施工方法が特開２００４−２７０３４１号公報で開示されている。
この発明の作用効果は、図１３に示されるように、留め付け部材１０１が長尺固定板１０２とスライド留付金具１０３とからなっていて、外壁板の左右接合部１４０が縦材１５１に配設されていなくても、左右接合部１４０にスライド留付金具１０３を配置することができる。
そして、外壁板の左右接合部１４０を、スライド留付金具１０３によって、長尺固定板１０２を介して、構造躯体１５０に固定することができる。それ故、留め付け部材１０１は、縦材１５１の配設されていない部分に左右接合部１４０が配される外壁板１０４を充分な強度で留め付けることができる。
また、左右接合部１４０において外壁板１０４を係止するのは、スライド留付金具１０３である。そして、スライド留付金具１０３は特に長尺ではないため、左右の外壁板１０４から異なる方向に力の作用を受けても、スライド留付金具１０３に大きな負荷がかかることはない。
【０００７】
特開２００６−０３７５６７号公報で開示された留め付け部材３０１は、図１４で示すように、少なくとも１本の縦材に固定される長尺固定板部３１１を有し、長尺固定板部３１１に、第１留め付け部３１２を配設してなる。
そのため、第１留め付け部３１２を外壁板の左右接合部に配置した状態で、長尺固定板部３１１を縦材に確実に固定することができる。それ故、縦材の配設されていない部分に外壁板の左右接合部が配される場合にも、留め付け部材３０１の長尺固定板部３１１が縦材に確実に固定されることによって、外壁板を充分な強度で構造躯体に留め付けることができる。したがって、第１留め付け部３１２を外壁板の左右接合部に配置したとき、該左右接合部の位置に関わらず、長尺固定板部３１１をいずれかの縦材に固定することができるため、施工が容易である。
また、留め付け部材３０１は第２留め付け部３１４を有するため、該第２留め付け部３１４を第１留め付け部３１２と共に外壁板に係止させることにより、左右の外壁板を水平に確実に留め付けることができる。
また、留め付け部材３０１は、垂直立設部３１３を有する。そのため、縦材の配設されていない部分に左右接合部が配される場合にも、垂直立設部３１３を、外壁板の側端面に当接させた状態で、留め付け部材３０１を構造躯体に固定することができ、外壁板の左右のずれを防止することができる。
【先行技術文献】
【特許文献】
【０００８】
【特許文献１】特開２０００−２９１２２５号公報
【特許文献２】特開２００１−３５５３２５号公報
【特許文献３】特開２００２−０８１１８６号公報
【特許文献４】特開２００５−２８２１９８号公報
【特許文献５】特開２００４−２７０３４１号公報
【特許文献６】特開２００６−０３７５６７号公報
【発明の概要】
【発明が解決しようとする課題】
【０００９】
ところで、従来技術で開示されている四方合い決り用の外壁板を下地材に留め付ける金具とその施工構造、あるいは四方合い決り用の外壁板の横ずれ防止金具とその施工構造においては、横ずれの防止措置がとられていなかったり、横ずれ防止金具が留付金具と一体となっていて金具の形状が複雑であったり、あるいは横ずれ防止金具を下地に直接留め付けることとなるので横ずれ金具の位置には必ず下地が必要であったり、あるいは下地の位置に制約されないものの、長尺の固定板と留付金具と横ずれ防止金具をセットにしているので横ずれ防止金具としては非常に大きく複雑な形状の金具となっていた。
本発明は、かかる従来の問題点に鑑みてなされたものであり、四方合決り接合しつつ金属下地組に留め付けられる外壁板の横ずれを防止する横ずれ防止金具において、形状が簡素で施工性の高い横ずれ防止金具であって、さらに施工が容易な外壁施工構造を提供しようとするものである。
【課題を解決するための手段】
【００１０】
上記課題を解決するために本発明の第１の発明の横ずれ防止金具は、
四方合決り接合されつつ角波状の金属下地材に留め付けられた外壁板の左右接合部に配され、上記外壁板の横ずれを防止するための横ずれ防止金具であって、
上記横ずれ防止金具は、
平板状の上方固定板と、
該上方固定板に対して略直角に立設された上方当接板と、
上記上方固定板の下端から延出されて該上方固定板よりも前方において該上方固定板と略平行に配された下方固定板と、
該下方固定板に対して略直角に立設された下方当接板を有していて、
上記上方固定板の下端から上記下方固定板と平行に下方に延出する裏側係止片が配設されていて、
上記横ずれ防止金具を上記左右接合部に配設する際に、上記外壁板の上下接合部に配された第１の留付金具の上方水平部を上記裏側係止片と上記下方固定板が挟み込むように構成されていることを特徴とするものである。
【００１１】
このように、上方固定板の下端から下方固定板と平行に下方に延出する裏側係止片が配設されることによって、横ずれ防止金具を外壁板の左右接合部に配設する際に、外壁板の上下接合部に配された第1の留付金具の上方水平部の上端部を横ずれ防止金具の裏側係止片と延出部と下方固定板とにより形成される逆Ｕ字状の溝が挟み込んで取り付けることができる。
したがって、横ずれ防止金具は下地材の有る無しにかかわらず自由に配置することができ、四方合決り接合されつつ角波状の金属下地材に留め付けられる外壁板の左右接合部が下地の無い場所に配置されていても、横ずれ防止金具は自由に取り付けることができるものである。
【００１２】
また本発明の第２の発明は、上記構成に加えて、上記上方固定板には複数の上方ビス孔が水平方向に形成され、上記下方固定板には複数の下方ビス孔が水平方向に形成されていて、該上方ビス孔と該下方ビス孔の水平方向の配列間隔は上方固定板が当接する上記角波状の金属下地材の室外側の凸部の幅方向の長さよりも短いことを特徴とするものである。
【００１３】
この第２の発明によれば、横ずれ防止金具を固定するビスが角波状の金属下地材の傾斜部にかからないので、横ずれ防止金具を固定するためのビスは、上方ビス孔または下方ビス孔を使用して第1の留付金具または角波状の金属下地材の室外側の凸部に同一垂線上ではない2カ所に固定することができる。
【００１４】
本発明の第３の発明に係る外壁施工構造は、
角波状の金属下地材に、上部下実、下部上実、横下実、及び横上実を有する複数の外壁板を四方合決り接合しつつ留め付けてなる外壁施工構造であって、
上記外壁板は、該外壁板の上端部及び下端部に配した第１の留付金具によって上記角波状の金属下地材に留め付けられており、
上記第１の留付金具は、上記角波状の金属下地材への固定面を構成する上方水平部と、該上方水平部よりも前面側に突き出た平板部と、該平板部の全横幅方向にわたって該平板部に直交する方向に立設された支承部と、該支承部から斜め上方へ屈曲した上側係止片と、上記支承部から斜め下方へ屈曲した下側係止片とを有し、
下側に配された外壁板の上端部を上記下側係止片によって係止し、上側に配された外壁板の下端部を上記支承部によって支承して上記上側係止片によって係止して、上記上方水平部が固定具によって上記角波状の金属下地材に固定されていて、
上記外壁板の左右接合部には、上記外壁板の横ずれを防止する横ずれ防止金具を配設してあり、
該横ずれ防止金具は、平板状の上方固定板と、該上方固定板に対して略直角に立設された上方当接板と、上記上方固定板の下端から延出されて該上方固定板よりも前方において該上方固定板と略平行に配された下方固定板と、該下方固定板に対して略直角に立設された下方当接板と、上記上方固定板の下端から上記下方固定板と平行に下方に延出する裏側係止片を有し、
上記裏側係止片と上記下方固定板が上記第１の留付金具の上方水平部を挟み込んだ状態で、該上方当接板と該下方当接板を上記外壁板の側端面に当接させつつ、上記下方固定板を上記第１の留付金具に固定具で固定していることを特徴とするものである。
【００１５】
このように、上方固定板の下端から下方固定板と平行に下方に延出する裏側係止片が配設されることによって、横ずれ防止金具を外壁板の左右接合部に配設する際に、外壁板の上下接合部に配された第1の留付金具の上方水平部の上端部を横ずれ防止金具の裏側係止片と延出部と下方固定板とにより形成される逆Ｕ字状の溝が挟み込んで取り付けることができる。したがって、横ずれ防止金具は下地材の有る無しにかかわらず自由に配置することができる。
したがって、四方合決り接合されつつ角波状の金属下地材に留め付けられる外壁板の左右接合部が下地の無い場所に配置されていても、横ずれ防止金具は自由に取り付けることができるものである。
【００１６】
また本発明の第４の発明は、上記構成に加えて、上記横ずれ防止金具が、
上記上方固定板には複数の上方ビス孔が水平方向に形成され、
上記下方固定板には複数の下方ビス孔が水平方向に形成されていて、
該上方ビス孔と該下方ビス孔の水平方向の配列間隔は上方固定板が当接する上記角波状の金属下地材の室外側の凸部の幅方向の長さよりも短いことを特徴とするものである。
【００１７】
この発明によれば、横ずれ防止金具を固定するビスが角波状の金属下地材の傾斜部にかからないので、横ずれ防止金具を固定するためのビスは、上方ビス孔または下方ビス孔を使用して第1の留付金具または角波状の金属下地材の室外側の凸部に同一垂線上ではない2カ所に固定することができる。
【００１８】
また本発明の第５の発明は、第４の発明の構成に加えて、上記上方固定板は、上記上方ビス孔に通された固定具によって上記角波状の金属下地材に固定されていることを特徴とするものである。
【発明の効果】
【００１９】
本発明によれば、上方固定板の下端から下方固定板と平行に下方に延出する裏側係止片が配設されることによって、横ずれ防止金具を外壁板の左右接合部に配設する際に、外壁板の上下接合部に配された第1の留付金具の上方水平部の上端部を横ずれ防止金具の裏側係止片と延出部と下方固定板とにより形成される逆Ｕ字状の溝が挟み込んで取り付けることができる。したがって、横ずれ防止金具は下地材の有る無しにかかわらず自由に配置することができる。
したがって、四方合決り接合されつつ角波状の金属下地材に留め付けられる外壁板の左右接合部が下地の無い場所に配置されていても、横ずれ防止金具は自由に取り付けることができるものである。
横ずれ防止金具を固定するビスが角波状の金属下地材の傾斜部にかからないので、横ずれ防止金具を固定するためのビスは、上方ビス孔または下方ビス孔を使用して第1の留付金具または角波状の金属下地材の室外側の凸部に同一垂線上ではない2カ所に固定することができる。
したがって、金属下地に対して、外壁板を固定する第１の留付金具を固定することができ、さらに横ずれを防止する横ずれ防止金具を自由に固定することができるので、外壁板の寸法モジュールや下地の胴縁間隔、下地組の配列ピッチを制限することなく、四方合決り接合用の外壁板を金属下地に留め付けられた外壁板の横ずれを防止することができる。
【図面の簡単な説明】
【００２０】
【図１】外壁板を角波状の金属下地材に張り付ける状態を説明する図。
【図２】上下左右接合部に配設された第１の留付金具と横ずれ防止金具の斜視図。
【図３】第１の留付金具を説明する斜視図。
【図４】横ずれ防止金具を説明する斜視図。
【図５】本発明による外壁板の形態を示す斜視図。
【図６】角波状の金属下地材の形状を説明する図。
【図７】実施例１における、外壁施工構造の正面図（Ａ）と平面図（Ｂ）。
【図８】実施例２における、外壁施工構造の正面図（Ａ）と平面図（Ｂ）。
【図９】実施例１における、外壁施工構造の上下接合部付近の縦断面図。
【図１０】実施例２における、外壁施工構造の上下接合部付近の縦断面図。
【図１１】従来例における、外壁施工構造の上下左右接合部付近の斜視図。
【図１２】従来例における、外壁施工構造の斜視図
【図１３】従来例における、外壁施工構造の斜視図
【図１４】従来例における、留付部材の正面図
【発明を実施するための形態】
【００２１】
以下、本発明の実施の形態を説明する。
【００２２】
（第１の実施形態）
図４は本発明に係る横ずれ防止金具５０の一例を示すものであり、横ずれ防止金具５０は鋼板等の金属板を折曲及びプレス加工して形成されている。また、図３は第１の留付金具３０の一例を示すものであり、図２は外壁板４の上下左右接合部８３に配設された第１の留付金具３０と横ずれ防止金具５０との関係を説明する図である。
【００２３】
図４において、横ずれ防止金具５０は平板状の上方固定板５３と、上方固定板５３の一端に略直角に前方に立設された上方当接板５１と、上方固定板５３の下端から前方に延出されて上方固定板５３よりも前方において上方固定板５３と略平行に下方に延出する下方固定板５４と、上方当接板５１が立設する側であって下方固定板５４の一端に略直角に前方に立設された下方当接板５２とを備えて形成されるものであり、上方固定板５３の下端には下方固定板５４と平行に上方固定板５３の下端から延出する裏側係止片５７が形成されている。
【００２４】
上方固定板５３の下端から下方固定板５４と平行に下方に延出する裏側係止片５７が形成されることによって、横ずれ防止金具５０には裏側係止片５７と延出部５３１と下方固定板５４とにより逆Ｕ字状の溝が形成されている。
図２で示すように横ずれ防止金具５０を外壁板４の左右接合部に配設する際において、横ずれ防止金具５０は、上記逆Ｕ字状の溝が外壁板４の上下接合部に配された第1の留付金具３０の上方水平部３１の上端部を挟み込んで取り付けられる。
したがって、逆Ｕ字状の溝における下方固定板５４と裏側係止片５７との間隔は、第1の留付金具３０の上方水平部３１の厚さよりも若干広くなっている。
【００２５】
このように、横ずれ防止金具５０は、第1留付金具３０の上方水平部３１を挟み込んで使用されるので、横ずれ防止金具５０を第1の留付金具３０の上方水平部３１に乗せた状態で水平方向にスライドさせて、外壁板４を水平方向に押して位置決めすることができる。
したがって、外壁板４の側端面１７に対して、横ずれ防止金具５０の上方当接板５１ならびに下方当接板５２を容易に密着させることができ、横ずれ防止金具５０の位置決めが容易になり施工性が良い。
【００２６】
一方、第1の留付金具３０には、図３で示されるように金属製の金具が用いられる。図３で例示される第1の留付金具３０は、水平方向に長尺の金具であって、裏面が下地材に接する上方水平部３１と、外壁材の裏面と接する平板部３３と、平板部３３から延設する支承部３４と、支承部３４の先端には上側の外壁材の下部上実１２を支える上側係止片３６と下側の外壁材の上部下実１１を支える下側係止片３７が形成されていて、平板部３３は上方立設部３２と下方立設部３８によって、外壁を止め付ける下地材側から室外側に突設している。
なお、支承部３４に水抜き孔４０が形成されていると外壁材４の裏面に侵入した雨水を容易に下方へ流下させることができるので好ましい。さらに、上方水平部３１に透孔３９が形成されていると、第1の留付金具３０を外壁下地材に固定する際に、ビスの取り付けが容易となり作業性が良くなり好ましい。
【００２７】
そして、横ずれ防止金具５０において、上方固定板５３と上方当接板５１との間、そして、下方固定板５４と下方当接板５２との間に補強リブ５５が形成されていると横ずれ防止金具５０の変形防止にとって好ましい。さらに、水平リブ５６が上方ビス孔５８の上下に水平方向に形成されていると上方固定板５３の変形防止策としてさらに好ましい。
なお、水平リブ５６は上方当接板５１が立設する側に凸部が形成されていると、上方固定板５３の裏面が角波状の金属下地材６の室外側の凸部６１の室外側の面に密着することとなり好ましい。
【００２８】
ここで、横ずれ防止金具５０には、上方固定板５３の水平方向に複数の上方ビス孔５８が、そして下方固定板５４の水平方向に複数の下方ビス孔５９が形成されている。
横ずれ防止金具５０は、２本以上の固定具７によって第１の留付金具３０または第１の留付金具３０と角波状の金属下地材６に、下方ビス孔５９または上方ビス孔５８と下方ビス孔５９を介して固定される。
【００２９】
次に、横ずれ防止金具５０と第1の留付金具３０を用いて外壁板４を角波状の金属下地材６に施工する、第1の実施形態での施工構造について説明する。
図１は、外壁板４を角波状の金属下地材６に貼り付けた状態を示す図である。
図２は、外壁板４の上下左右接合部８３に配設された第1の留付金具３０と横ずれ防止金具５０の施工状態を示す図である。
図５は、第１の実施形態で使用される外壁板４の一例である。
図６は、第１の実施形態で使用される角波状の金属下地材６の一例であって、室外側の凸部６１と室内側の凹部６２の頂点は平面に形成されている。
図１に示すように第1の実施形態における施工構造では、角波状の金属下地材６の室外側の凸部６１と室内側の凹部６２が形成する凹凸が水平方向に連続するように施工されている、さらに外壁板４の裏面は室外側の凸部６１と接するように施工されている。
【００３０】
ここで施工は次の順に実施される。
初めに角波状の金属下地材６が構造躯体である横臥材８に固定される。
次に、最下層の外壁板４を施工するために角波状の金属下地材６にスターターあるいは第1の留付金具３０が最下層の外壁板４の下側に固定される。
次に、外壁板４が建物に向かって左側から順に施工される。ここで外壁板４の位置決めおよび移動防止のために、横ずれ防止金具５０が第１の留付金具３０または第１の留付金具３０と角波状の金属下地材６に、下方ビス孔５９または上方ビス孔５８と下方ビス孔５９を介して固定される。
【００３１】
しかしながら、横ずれ防止金具５０を第１の留付金具３０に固定する際に、第1の留付金具３０を角波状の金属下地材６に固定している固定具が邪魔になることがある。
そこで、第1の留付金具３０を角波状の金属下地材６に固定している固定具によって横ずれ防止金具５０が取り付けられない状態を回避するために、横ずれ防止金具５０には上方ビス孔５８が３個以上、さらに下方ビス孔５９が３個以上形成されている。
さらに、横ずれ防止金具５０の上方ビス孔５８の水平方向の配列間隔９１と下方ビス孔５９の配列間隔９２は、上方固定板５３が当接する角波状の金属下地材６の室外側のリブ６１の幅方向の長さよりも短くなっている。
【００３２】
ここで、第１の留付金具３０と横ずれ防止金具５０を用いて外壁板４を角波状の金属下地材６に施工する施工構造の実施例を図７と図８で説明する。
【００３３】
実施例１は、第1の留付金具３０の固定具７が横ずれ防止金具５０の固定を阻害しない例であって、図７に示すように、横ずれ防止金具５０は両端の下方ビス孔５９を介して、固定具７によって第１の留付金具３０に固定される。
したがって、第１の留付金具３０の固定具７を脱着する必要がない。
【００３４】
実施例２は、第1の留付金具３０の固定具が横ずれ防止金具５０と重なり合い、第1の留付金具３０の固定具７が横ずれ防止金具５０の固定を阻害する例である。
この場合、第１の留付金具３０を角波状の金属下地材６に固定していた固定具７は取り外されることとなるので、図８に示すように、横ずれ防止金具５０は両端の下方ビス孔５９を介して、固定具７によって第１の留付金具３０に固定され、さらに、上方ビス孔５８を介して横ずれ防止金具５０は角波状の金属下地材６に固定される。
したがって、第１の留付金具３０を角波状の金属下地材６に固定していた固定具７は取り外されたものの、第１の留付金具３０は横ずれ防止金具５０を経由して角波状の金属下地材６に固定される。
【００３５】
実施例１および２では、横ずれ防止金具５０は両端の下方ビス孔５９を介して固定具７によって第１の留付金具３０に固定されているが、固定具７を取り付ける位置に角波状の金属下地材６の傾斜部６３が存在すると固定具７が垂直に入らない場合がある。これを避けるためには、両端の下方ビス孔５９以外の下方ビス孔５９や上方ビス孔５８を使用して、横ずれ防止金具５０を第１の留付金具３０あるいは角波状の金属下地材６に固定することが好ましい。
【００３６】
本発明によれば、横ずれ防止金具５０は角波状の金属下地材６の室外側の凸部６１の位置にかかわらず外壁板４の横方向に対して自由に配置することができる。
したがって、横ずれ防止金具５０は、四方合決り接合されつつ角波状の金属下地材６に留め付けられる外壁板４の左右接合部が角波状の金属下地材６の室外側の凸部６１の無い場所に配置されていても、横ずれ防止金具５０は角波状の金属下地材６に直接あるいは、第１の留付金具３０を介して自由に取り付けることができる。
【符号の説明】
【００３７】
１  外壁施工構造
２  金属下地組
３  金属胴縁
４  外壁板（四方合いじゃくり）
５  構造躯体
６  角波状の金属下地材
７  固定具
８  横臥材  
１１  上部下実
１２  下部上実
１３  横上実
１４  横下実
１５  上端部
１６  下端部
１７  側端面
１８  裏側面
２１  上方の外壁板
２２  下方の外壁板
３０  第１の留付金具
３１  上方水平部
３２  上方立設部
３３  平板部
３４  支承部
３５  係止片
３６  上側係止片
３７  下側係止片
３８  下方立設部
３９  透孔
４０  水抜き孔
５０  横ずれ防止金具
５１  上方当接板
５２  下方当接板
５３  上方固定板
５４  下方固定板
５５  補強リブ
５６  水平リブ
５７  裏側係止片
５８  上方ビス孔
５９  下方ビス孔
６１  室外側の凸部
６２  室内側の凹部
６３  傾斜部
７０  コーキング材
８１  上下の接合隙間部
８２  左右の接合隙間部
８３  上下左右接合部
９１  上方ビス孔の配列間隔
９２  下方ビス孔の配列間隔
９３  室外側の凸部の幅方向の長さ
５３１  延出部
【図１】
0005756355.tif 000002
【図２】
0005756355.tif 000003
【図３】
0005756355.tif 000004
【図４】
0005756355.tif 000005
【図５】
0005756355.tif 000006
【図６】
0005756355.tif 000007
【図７】
0005756355.tif 000008
【図８】
0005756355.tif 000009
【図９】
0005756355.tif 000010
【図１０】
0005756355.tif 000011
【図１１】
0005756355.tif 000012
【図１２】
0005756355.tif 000013
【図１３】
0005756355.tif 000014
【図１４】
0005756355.tif 000015